(57)【要約】本発明は、表示パネル、ディスプレイ及び表示端末に関する。当該表示パネルは、基板（１１０）と、基板（１１０）に形成された画素定義層（１２０）とを含み、画素定義層（１２０）には、第１タイプ画素開口を含む画素開口（１３０）が形成されており、第１タイプ画素開口が基板（１１０）に投射される投影像は各辺が曲線になっており、互いに平行ではない。
2021507289.tif 000002
【特許請求の範囲】
【請求項１】
表示パネルであって、
基板と、
前記基板に形成された画素定義層と、を含み、
前記画素定義層には、第１タイプ画素開口を含む画素開口が形成されており、前記第１タイプ画素開口を前記基板に投射した投影像の各辺が曲線になっており、互いに平行でない、ことを特徴とする表示パネル。
【請求項２】
前記第１タイプ画素開口を前記基板に投射した投影像は、１つの図形単位であるか互いに連通された少なくとも２つの図形単位である、ことを特徴とする請求項１に記載の表示パネル。
【請求項３】
前記第１タイプ画素開口に対応する副画素のアスペクト比が１．５未満である場合、前記第１タイプ画素開口を前記基板に投射した投影像は円形であり、
前記第１タイプ画素開口に対応する副画素のアスペクト比が１．５以上且つ２．５以下である場合、前記第１タイプ画素開口を前記基板に投射した投影像は互いに連通された２つの円形であり、
前記第１タイプ画素開口に対応する副画素のアスペクト比が２．５より大きい場合、前記第１タイプ画素開口を前記基板に投射した投影像は、互いに連通された少なくとも３つの円形である、
ことを特徴とする請求項２に記載の表示パネル。
【請求項４】
前記第１タイプ画素開口を前記基板に投射した投影像は楕円形であり、前記楕円形の長軸と短軸との比率が前記第１タイプ画素開口に対応する副画素のアスペクト比である、ことを特徴とする請求項２に記載の表示パネル。
【請求項５】
前記第１タイプ画素開口を前記基板に投射した投影像は、軸対称な図形である、ことを特徴とする請求項２に記載の表示パネル。
【請求項６】
前記第１タイプ画素開口を前記基板に投射した投影像は、第１接続部をさらに含み、互いに連通された２つの図形単位の間は前記第１接続部によって連通され、前記第１接続部の両辺の少なくとも一方が直線又は曲線になっている、ことを特徴とする請求項２〜５のいずれか一項に記載の表示パネル。
【請求項７】
前記画素開口は、副画素の形状を定義し、前記副画素には前記副画素のエッジに沿って配列されている複数の突出が形成されている、ことを特徴とする請求項１に記載の表示パネル。
【請求項８】
前記画素開口は、第２タイプ画素開口をさらに含み、前記第２タイプ画素開口を前記基板に投射した投影像は矩形であり、前記第１タイプ画素開口と前記第２タイプ画素開口とが前記基板に交互に分布している、ことを特徴とする請求項１に記載の表示パネル。
【請求項９】
前記表示パネルは、ＰＭＯＬＥＤ表示パネルであり、前記基板に形成された複数の第１電極をさらに含み、
前記複数の第１電極は、同じ方向に沿って並行に延在し、隣接する前記第１電極の間に隙間があり、前記第１電極の延在方向において、前記第１電極の幅は連続的又は断続的に変化するともに、前記隙間は連続的又は断続的に変化する、ことを特徴とする請求項１に記載の表示パネル。
【請求項１０】
前記第１電極は前記延在方向の両辺が共に波状であり、前記両辺のピークが対向し、トラフも対向する、ことを特徴とする請求項９に記載の表示パネル。
【請求項１１】
前記第１電極は、トラフが対向する箇所において、ストリップ状の第２接続部が形成されている、ことを特徴とする請求項１０に記載の表示パネル。
【請求項１２】
前記第１電極を前記基板に投射した投影像の辺は、前記画素開口を前記基板に投射した投影像の辺と互いに平行ではない、ことを特徴とする請求項９に記載の表示パネル。
【請求項１３】
前記第１電極に、前記第１電極のエッジに沿って配列されている複数の突出が形成される、ことを特徴とする請求項９に記載の表示パネル。
【請求項１４】
前記表示パネルは、ＡＭＯＬＥＤ表示パネルであり、前記基板に形成された第１電極層をさらに含み、
前記第１電極層は、互いに独立した複数の第１電極を含み、
各第１電極は１つの発光構造層に対応し、前記第１電極層を前記基板に投射した投影像の辺は、前記画素開口を前記基板に投射した投影像の辺と互いに平行ではない、ことを特徴とする請求項１に記載の表示パネル。
【請求項１５】
前記第１電極を前記基板に投射した投影像は、円形、楕円形、又は互いに連通された２つの円形である、ことを特徴とする請求項１４に記載の表示パネル。
【請求項１６】
前記第１電極を前記基板に投射した投影像の辺は、前記画素開口を前記基板に投射した投影像の辺と互いに平行ではない、ことを特徴とする請求項１４に記載の表示パネル。
【請求項１７】
ディスプレイであって、
静止画像又は動画像を表示する第１表示領域と、
前記第１表示領域に設けられた請求項１〜１６のいずれか一項に記載の表示パネルと、を含む、ことを特徴とするディスプレイ。
【請求項１８】
前記第１表示領域に隣接した第２表示領域をさらに含み、
前記第１表示領域に設けられた表示パネルは、ＰＭＯＬＥＤ表示パネル又はＡＭＯＬＥＤ表示パネルであり、前記第２表示領域に設けられた表示パネルは、ＡＭＯＬＥＤ表示パネルである、ことを特徴とする請求項１７に記載のディスプレイ。
【請求項１９】
表示端末であって、
部品領域を有する機器本体と、
前記機器本体に設けられた請求項１７に記載のディスプレイと、を含み、
前記部品領域は、前記第１表示領域の下に位置され、前記部品領域には、受光部品が設けられている、ことを特徴とする表示端末。
【請求項２０】
前記部品領域はノッチ領域であり、前記受光部品は、カメラ又は光センサである、ことを特徴とする請求項１９に記載の表示端末。
【発明の詳細な説明】
【技術分野】
【０００１】
本発明は、表示技術分野に関し、特に表示パネル、ディスプレイ及び表示端末に関する。
【０００２】
本出願は、２０１８年８月６日に中国特許庁に出願された２０１８１０８８６０４９．Ｘという出願番号である「表示パネル、ディスプレイ及び表示端末」の特許出願に基づいて優先権を主張し、その内容はすべて参照により本明細書に組み込まれる。
【背景技術】
【０００３】
表示端末の急速な発展に伴い、スクリーン占有率に対するユーザーの要求がますます高まっており、全面スクリーンで表示のよう可能な電子機器は業界においてますます注目を集めている。携帯電話やタブレット等の従来の電子機器において、フロントカメラ、イヤホーン、赤外線検知素子等を統合する必要があるため、ディスプレイにノッチ（Ｎｏｔｃｈ）を設け、当該ノッチ領域に透明なディスプレイを設けることで、表示端末の全面スクリーンでの表示を実現できる。
【発明の概要】
【発明が解決しようとする課題】
【０００４】
本発明は、表示パネル、ディスプレイ及び表示端末を提供する。
【課題を解決するための手段】
【０００５】
本発明に係る表示パネルは、基板と、基板に形成された画素定義層とを含む。画素定義層には、第１タイプ画素開口を含む画素開口が形成されており、当該第１タイプ画素開口が基板に投射される投影像の各辺が曲線になっており、互いに平行でない。
【０００６】
本発明に係るディスプレイは、静止画像又は動画像を表示するための第１表示領域を含み、第１表示領域に設けられた前記表示パネルをさらに含む。
【０００７】
本発明に係る表示端末は、機器本体と、前記ディスプレイとを含む。機器本体は、部品領域を有し、ディスプレイは、機器本体を覆うように設けられている。部品領域は、第１表示領域の下側に位置され、当該部品領域に受光部品が設けられている。
【図面の簡単な説明】
【０００８】
本発明の実施例又は従来技術による技術案をより明らかに説明するために、実施例又は従来技術を記述するのに必要な図面を簡単に説明する。後述する図面は本発明の実施例に過ぎず、当業者として創造的な努力を必要とせずに、これらの図面に基づいて他の実施例の図面を得られることが明らかである。
【図１】一実施例における表示パネルの断面図である。
【図２】一実施例における画素定義層が基板に投射される投影像の模式図である。
【図３】他の一実施例における画素定義層が基板に投射される投影像の模式図である。
【図４】他の一実施例における画素定義層が基板に投射される投影像の模式図である。
【図５】他の一実施例における画素定義層が基板に投射される投影像の模式図である。
【図６】もう一つの実施例における画素定義層が基板に投射される投影像の模式図である。
【図７】さらにもう一つの実施例における画素定義層が基板に投射される投影像の模式図である。
【図８】一実施例におけるＰＭＯＬＥＤ表示パネルである表示パネルの第１電極の模式図である。
【図９】他の一実施例におけるＰＭＯＬＥＤ表示パネルである表示パネルの第１電極の模式図である。
【図１０】また他の一実施例におけるＰＭＯＬＥＤ表示パネルである表示パネルの第１電極の模式図である。
【図１１】さらに他の一実施例におけるＰＭＯＬＥＤ表示パネルである表示パネルの第１電極の模式図である。
【図１２】一実施例における表示パネルの第１電極及び画素開口が基板に投射される投影像の模式図である。
【図１３】一実施例におけるＡＭＯＬＥＤ表示パネルである表示パネルのアノードの模式図である。
【図１４】他の一実施例におけるＡＭＯＬＥＤ表示パネルである表示パネルのアノードの模式図である。
【図１５】一実施例における表示パネルのアノード及び画素開口が基板に投射される投影像の模式図である。
【図１６】一実施例におけるディスプレイの模式図である。
【図１７】一実施例における表示端末の模式図である。
【図１８】一実施例における機器本体の模式図である。
【発明を実施するための形態】
【０００９】
本発明の目的、技術方案及び利点をより明確にするために、以下、添付した図面及び実施例を参照しながら本発明を詳細に説明する。なお、本明細書に記述される具体的な実施例は本発明を解釈するためのものに過ぎず、本発明を限定するためのものではない。
【００１０】
本明細書の記述において、「中心」、「横方向」、「上」、「下」、「左」、「右」、「鉛直」、「水平」、「頂」、「底」、「内」及び「外」などの用語で指明される方位や位置関係は、図面に示す方位や位置関係に基づくものである。これらの用語は、本明細書を便利で簡潔に記述するためにしたものであり、関連する装置や素子が必ずその特定された方位や、特定された方位構造と操作であることを明示するものではない。本発明の範囲を限定するためではないと理解されるべきである。なお、説明したいのは、ある要素が「他の要素上に形成される」ように記載する場合、当該要素が他の要素に直接接続されるか、中間要素を有する可能性もある。また、ある要素が他の要素「に接続される」ように記載する場合、当該要素が他の要素に直接接続されるか、或いは、中間要素を有する可能性もある。一方、ある要素が他の要素「に直接」されたように記載する場合、中間要素が存在しない。
【００１１】
発明者は、カメラなどの受光部品を透明な表示パネルの下に置くと、撮影された画像がぼけることを発見した。本発明者は、研究したうえ、この問題の原因が、電子機器のディスプレイ内に導電性トレースが存在し、外部光線はこれらの導電性トレースを通り抜ける際に複雑な回折強度分布が生じて、回折縞が現れ、カメラなどの受光部品の正常作動に影響を与えるからであると考えた。例えば、透明な表示領域の下に位置するカメラが作動する際に、外部光線が、ディスプレイ内のワイヤ材料のトレースを通り抜けた後、より大きく回折した結果、カメラで撮影された画面が歪んでしまう。
【００１２】
このような問題を解決するために、本発明の一実施例では、表示パネルを提供する。図１は、一実施例における表示パネルの断面図である。当該表示パネルは、基板１１０と、基板１１０に形成された画素定義層１２０とを含む。画素定義層１２０には、画素の発光領域を定義する画素開口１３０が形成されている。本実施例で言及した画素は、例えば副画素といった最小画素単位である。
【００１３】
画素開口１３０は、第１タイプ画素開口を含む。基板上への第１タイプ画素開口の投影は、各辺が互いに平行でないと共に曲線になっている。即ち、第１タイプ画素開口は、各方向において幅が変化し、同じ箇所でも回折の拡散方向が異なる。光が、スリット、小孔又はディスクのような障害物を通り抜ける際に異なる程度の発散伝播が発生することで元の直進伝播から逸れる現象は回折と呼ばれる。回折過程において、回折縞の分布は、例えば、スリットの幅、小孔の寸法などの障害物の寸法の影響を受ける。同じ幅である箇所で発生した回折縞の位置は一致しているため、より顕著な回折現象が生じ得る。本実施例において、外部光線が当該第１タイプ画素開口を通り抜けると、幅が異なる箇所で異なる位置及び異なる拡散方向を持つ回折縞が発生されるため、顕著な回折現象がなくなるので、表示パネルの下に設けられた受光素子を正常に作動させることが確保される。
【００１４】
従来の画素定義層の画素開口は、画素サイズによって矩形に構成されている。矩形は、互いに平行している２組の辺を有し、２つの長辺の互いの距離がすべて等しく、２つの短辺の互いの距離もすべて等しい。従って、外部光線が当該画素開口を通り抜けると、長辺方向又は短辺方向の異なる箇所で同じ位置と同じ拡散方向を持つ回折縞が発生され、顕著な回折現象が発生することによって、表示パネルの下にある受光素子が正常に作動できなくなる。本実施例にかかる表示パネルにおいて、上記問題を解決でき、表示パネルの下にある受光素子を正常に作動させることを確保できる。
【００１５】
一実施例において、基板１１０は、ガラス基板、石英基板、又はプラスチック基板等の透明基板であってもよい。
【００１６】
一実施例において、第１タイプ画素開口の基板１１０への投影像の各辺は、円形、楕円形、及び曲率が変化する曲線のうちの少なくとも１つであってもよい。
【００１７】
一実施例において、第１タイプ画素開口の基板１１０への投影像は、１つの図形単位であるか互いに連通された複数の図形単位であってもよい。当該図形単位は、円形又は楕円形であってもよい。当該図形単位は、各箇所の曲率半径が異なる曲線で構成されてもよい。図形単位の数は、対応する副画素の形状によって確定されてもよい。例えば、数は、副画素のアスペクト比によって確定されてもよい。図形単位の数を確定する際に、画素の開口率と合わせて確定する必要がある。一実施例において、図形単位は、表示パネル上のすべての画素が同じ開口率を有するように軸対称構造を有してもよい。これによって、最終的な表示効果に影響を与えないことが確保される。
【００１８】
第１タイプ画素開口の基板１１０への投影像は少なくとも２つの図形単位を備える場合に、投影像は、第１接続部をさらに含む。少なくとも２つの図形単位は、第１接続部を介して互いに連通されて全体的に連通された図形領域を形成する。第１接続部の各辺は、曲線及び直線の少なくとも一方から構成されてもよい。第１接続部の各辺は直線である場合、第１接続部の形状はストリップ状である。一実施例において、第１接続部の各辺はすべて曲線で構成される。これにより、光は接続部の箇所でも異なる方向に拡散し、回折現象を弱めることができる。
【００１９】
図２は、一実施例における画素定義層１２０を基板１１０に投射した投影像の模式図である。本実施例において、画素定義層１２０の画素開口１３０は、すべて第１タイプ画素開口である。複数の第１タイプ画素開口は、基板１１０に規則的にアレイ配列される。第１タイプ画素開口の基板１１０への投影像１３０ａの各辺はすべて曲線であり、即ち第１タイプ画素開口の各辺はすべて曲線である。従って、光が第１タイプ画素開口を通り抜けると、発生された回折縞は一方向のみに拡散されず、回折は顕著でなくなり、回折改善効果が高い。具体的には、基板１１０への第１タイプ画素開口の各々の投影像１３０ａ（以下、投影像１３０ａと略称する）は、１つの円形又は少なくとも２つの円形が互いに連通された図形である。投影像１３０ａに含まれる円形の数は、対応する副画素の形状に応じて確定されてもよい。
【００２０】
図２を参照すると、本実施例において、第１タイプ画素開口１３０に対応する副画素の形状は、アスペクト比が１．５未満の長方形又は正方形であり、即ち、第１タイプ画素開口１３０に対応する副画素の形状のアスペクト比が１．５未満である場合、投影像１３０ａは１つの円である。一実施例において、投影像１３０ａは軸対称の図形であり、その対称軸が対応する副画素の対称軸に相応する。投影像１３０ａが形成する円の直径は、副画素の最小幅よりも小さい。具体的には、投影像１３０ａが形成する円の直径は、副画素の形状に応じて開口率を合わせて確定されてもよい。投影像１３０ａが形成した円の直径を確定する方法は、画素開口のサイズを確定するための従来の方法を採用してもよく、ここでは説明は省略する。
【００２１】
図３は、他の一実施例における画素定義層１２０を基板１１０に投射した投影像の模式図である。本実施例において、画素開口１３０は、同様に、すべて第１タイプ画素開口であり、各第１タイプ画素開口が基板１１０に規則的に配列されている。本実施例において、第１タイプ画素開口に対応する画素のアスペクト比は、１．５から２．５までの範囲に入る。この場合、投影像１３０ａは、２つの円形が互いに連通されることにより形成されたダンベル状である。２つの円は、それぞれ対応する副画素の長さ方向に沿って配列される。一実施例において、２つの円の間に第１接続部１３０１が形成されており、第１接続部１３０１の両辺はすべて曲線である。これにより、第１接続部１３０１を通り抜けるときに光が異なる複数方向に拡散されることが確保され、回折現象を改善できる。
【００２２】
図４は、一実施例における画素定義層１２０を基板１１０に投射した投影像の模式図である。本実施例において、画素開口１３０は、同様に、すべて第１タイプ画素開口であり、各第１タイプ画素開口が基板１１０に規則的に配列される。本実施例において、第１タイプ画素開口に対応する副画素のアスペクト比は、２．５より大きい。この場合、投影像１３０ａは、３つ以上の円形が互いに連通された波状である。３つ以上の円形は、それぞれ対応する副画素の長さ方向に沿って配列される。一実施例において、投影像１３０ａに、第１接続部１３０２をさらに形成する。第１接続部１３０２は弧状になっており、即ち、３つ以上の円形間の交差部分が円弧で接続されている。このようにして、第１接続部１３０２を通り抜けるときに光が異なる複数方向に拡散されることが確保され、回折現象を改善できる。
【００２３】
第１タイプ画素開口に対応する副画素のアスペクト比が１．５である場合、投影像１３０ａは、１つの円形であってもよく、２つの円形が互いに連通されたダンベル状であってもよい。第１タイプ画素開口に対応する副画素のアスペクト比が２．５である場合、投影像１３０ａは、２つの円形が互いに連通されたダンベル状であってもよく、３つ以上の円形が互いに連通された波状であってもよい。
【００２４】
図５は、一実施例における画素定義層１２０を基板１１０に投射した投影像の模式図である。本実施例において、画素開口１３０は、同様に、すべて第１タイプ画素開口であり、各第１タイプ画素開口が基板１１０に規則的に配列される。図５を参照すると、投影像１３０ａは一つの楕円である。この場合、楕円のサイズと副画素のサイズとがマッチングされる。例えば、副画素のアスペクト比が１．２である場合、楕円の長軸と短軸との比率は１．２である。一実施例において、楕円の中心は、対応する副画素の中心にマッチングされる。他の実施例において、第１タイプ画素開口に対応する副画素のアスペクト比が大きい場合、投影像１３０ａは、２つ以上の楕円が連通された波状であってもよい。
【００２５】
図２〜図５から分かるように、投影像１３０ａは各方向にそれぞれで変化した幅を有し、即ち、第１タイプ画素開口は各方向にそれぞれで変化した幅を有しているため、光が通り抜ける際に、幅の異なる箇所で異なる位置の回折縞が発生され、回折現象が弱くなる。
【００２６】
一実施例において、図６に示すように、投影像１３０ａには、複数の突出１３０ｂが形成されている。複数の突出１３０ｂは、投影像１３０ａのエッジに沿って配列されている。突出１３０ｂの辺は、すべて曲線である。画素定義層１２０は副画素の形状を定義するものであるため、最終的に得られた副画素も副画素のエッジに沿って配列された複数の突出を有する。副画素上に複数の突出１３０ｂを設けることによって、副画素の各場所の幅をさらに分散させることができ、回折現象が低減される。
【００２７】
一実施例において、画素開口１３０は、第２タイプ画素開口をさらに有してもよい。この場合、画素定義層１２０を基板１１０に投射した投影像は、図７に示されている。第２タイプ画素開口を基板１１０に投射した投影像は１３０ｄであり、副画素と同じ形状を有する。本実施例において、副画素の形状は正方形であるので、投影像１３０ｄも正方形になり、これによって画素開口率がある程度向上される。投影像１３０ａ及び投影像１３０ｄは、いずれも基板１１０に規則的に配列されて、交互に分布する。即ち、第１タイプ画素開口及び第２タイプ画素開口は、表示パネル全体の回折現象が至る所で一致するように、均等かつ規則的に配列される。
【００２８】
一実施例において、画素定義層１２０の各画素開口１３０は、第１タイプ画素開口及び第２タイプ画素開口を含み、第１タイプ画素開口及び第２タイプ画素開口の各辺は、いずれも非平滑辺である。非平滑辺上に複数の突出が形成され、突出の辺は直線及び/又は曲線である。画素開口１３０の各辺を非平滑辺とすることで、各画素開口の各場所の幅をさらに分散させることができ、回折現象が低減される。
【００２９】
一実施例において、表示パネルは、発光領域に形成された発光構造１４０をさらに含む。隣接する２つの発光構造１４０の間には、画素定義層１２０が形成されている。発光構造１４０は、基板１１０に形成された波状の第１電極１４２を含む。図８は、複数の第１電極１４２の模式図である。この場合、表示パネルは、パッシブマトリクス有機エレクトロルミネッセンス発光ダイオード（Ｐａｓｓｉｖｅ−Ｍａｔｒｉｘ  Ｏｒｇａｎｉｃ  Ｌｉｇｈｔ−Ｅｍｉｔｔｉｎｇ  Ｄｉｏｄｅ、ＰＭＯＬＥＤ）表示パネルである。本実施例において、第１電極１４２は波状であるため、その幅は、第１電極１４２の延在方向に連続的又は断続的に変化する。
【００３０】
幅が連続的に変化することは、第１電極１４２において隣接する任意の２箇所での幅が異なることを意味する。図８では、第１電極１４２の延在方向はその長さ方向である。第１電極１４２の幅は、延在方向に連続的に変化する。幅が断続的に変化することは、第１電極１４２に一部領域において隣接する２箇所での幅が同一である一方、他の一部領域において隣接する２箇所での幅が異なることを意味する。本実施例において、複数の第１電極１４２は、基板１１０に規則的に配列されているため、隣接する２つの第１電極１４２の隙間は、第１電極１４２の延在方向に平行である方向にも連続的又は断続的に変化する。第１電極１４２の幅は、延在方向に連続的に或いは断続的に変化することが周期的であってもよく、一つの変更周期が一つの画素の幅に対応してもよい。
【００３１】
一実施例において、図８に示すように、第１電極１４２の延在方向の両辺とも波状である。延長方向の両辺は、ピークＴが対向して配置され、トラフＢも対向して配置される。本実施例において、両辺とも同じ弧状の辺が互いに接続することによって形成される。他の実施例において、図９に示すように、両辺とも同じ楕円状の辺が互いに接続することによって形成されてもよい。円弧又は楕円形が互いに接続することによって第１電極１４２の両辺を波状に形成することで、第１電極１４２に発生された回折縞が異なる方向に拡散されることが確保され、相対的に顕著な回折現象を避けることができる。
【００３２】
一実施例において、図１０に示すように、第１電極１４２のトラフが対向している箇所には、第２接続部１４２２が形成される。第２接続部１４２２は、ストリップ状である。第２接続部１４２２の幅Ｗは、４μｍより大きいと共に、第１電極１４２の最大幅よりも小さくすべきである。一実施例において、第１電極１４２の隣接する２つの第２接続部１４２２の間の領域は、１つの画素開口に対応し、第２接続部１４２２は、隣接する２つの画素開口の隙間に対応する。第２接続部１４２２の幅Ｗを調整することで、第１電極１４２の抵抗を使用要求を満たすように調整することを実現することができる。他の実施例において、第２接続部１４２２は、例えば中間が小さく両端が大きい形状、或いは中間が大きく両端が小さい形状といった他の規則ではない構造を採用してもよい。
【００３３】
他の実施例において、図１１に示すように、第１電極１４２には、複数の突出１４２ａが形成されている。複数の突出１４２ａの辺は、曲線である。第１電極１４２に複数の突出１４２ａを設けることで、第１電極１４２の各場所の幅をさらに分散させることができ、回折現象が低減される。
【００３４】
他の実施例において、発光構造１４０は、図１に示すように、第１電極１４２に形成された発光層１４４と、第２電極１４６とをさらに含む。ここで、第１電極１４２はアノードであり、第２電極１４６はカソードである。他の実施例において、第１電極１４２はアノードであり、第２電極１４６はカソードである。第２電極１４６の延在方向と第１電極１４２の延在方向とは互いに直交している。第２電極１４６は第１電極１４２と同じ形状であって、両方とも波状の電極構造を採用してもよい。
【００３５】
一実施例において、基板１１０における第１電極１４２の投影の辺は、画素開口１３０を基板１１０に投射した投影像の辺と互いに平行ではない。図１２に示すように、第１電極１４２の投影の辺と画素開口１３０を基板１１０に投射した投影像の辺が、異なる箇所において対応する領域の距離ＡＡは異なっているので、距離が異なる箇所で発生した回折縞も異なる位置を有するため、最終的に回折現象を弱めることができる。これにより、カメラを該透明な表示パネルの下方に配置した場合に、撮影された画像が高い鮮明度を有することを確保する。
【００３６】
一実施例において、表示パネルは、アクティブマトリックス有機発光ダイオード（Ａｃｔｉｖｅ−Ｍａｔｒｉｘ  Ｏｒｇａｎｉｃ  Ｌｉｇｈｔ−Ｅｍｉｔｔｉｎｇ  Ｄｉｏｄｅ、AＭＯＬＥＤ）表示パネルである。この場合、基板１１０は、薄膜トランジスタ（Ｔｈｉｎ  Ｆｉｌｍ  Ｔｒａｎｓｉｓｔｏｒ、ＴＦＴ）アレイ基板である。基板１１０には、第１電極が形成される。第１電極は、ＴＦＴアレイ基板に形成された各種の導電性トレースを含む。第１電極の幅寸法は、導電性トレースの幅に応じて設計する必要がある。ここで、導電性トレースは、走査線、データ線、及び電力線のうちの少なくとも１種を含む。例えば走査線、データ線及び電力線などのＴＦＴアレイ基板上の全ての導電性トレースを改善し、図８に示すような電極形状とすることができる。ＴＦＴアレイ基板上の導電配線を図８〜図１１のいずれか１つの波状の電極形状とすることで、導電性トレースの延在方向において、光が幅の異なる位置、及び、隣り合う導電性トレース間の間隔の異なる位置を通り抜ける時に生じた回折縞が異なる位置で形成され、回折現象を弱め、その下方に配置された受光部品の正常な動作を確保できる。
【００３７】
一実施例において、表示パネルはＡＭＯＬＥＤ表示パネルである場合、基板の上に形成されたアノード層をさらに含む。アノード層は、アノードアレイを含む。アノードアレイは、互いに独立した複数のアノードで構成されている。アノードの形状は、円形、楕円形、又は互いに連通された２つの円形によって形成されたダンベル状であってもよい。図１３は、円形のアノードで形成されたアノードアレイの模式図であり、図１４は、ダンベル状のアノードで形成されたアノードアレイの模式図である。アノードの形状を円形、楕円形、又はダンベル状に変更することで、同じく、光がアノード層を通り抜ける際に、アノードの幅の異なる箇所で異なる位置及び拡散方向の回折縞が発生させ、回折現象を弱めることができる。さらに、回折現象を弱めるために、各副画素は、図１３及び図１４に示すような円形、楕円形又はダンベル状に設定されてもよい。
【００３８】
一実施例において、アノードを基板１１０に投射した投影像の辺と画素開口１３０を基板１１０に投射した投影像の辺とは互いに平行ではない。図１５に示すように、アノードを基板１１０に投射した投影像の辺と画素開口１３０を基板１１０に投射した投影像の辺とで異なる箇所において対応する領域の距離ＡＡは異なっているので、距離が異なる箇所で発生した回折縞も異なる位置を有し、最終的に回折現象を弱めることができる。これにより、カメラを該透明な表示パネルの下方に配置した場合に、撮影された画像が高い鮮明度を有することを確保する。
【００３９】
一実施例において、上記の表示パネルはＬＣＤ表示パネルであってもよい。
【００４０】
一実施例において、上記の表示パネルは、透明又は半透明半反射型の表示パネルであってもよい。表示パネルの透明性が、光透過率がよい材料を各層に採用されることによって実現できる。例えば、各層に、表示パネル全体の光透過率が７０％以上であるように、９０％を超える光透過率を持つ材料が採用される。または、各層に、表示パネル全体の光透過率が８０％以上であるように、９５％を超える光透過率を持つ材料が採用されることもできる。具体的には、例えばカソードやアノードなどの導電性トレースの材料は、ＩＴＯ、ＩＺＯ、Ａｇ＋ＩＴＯ、又はＡｇ＋ＩＺＯであってもよく、絶縁層の材料は、好ましく、ＳｉＯ２、ＳｉＮｘ、Ａｌ２Ｏ３などであり、画素定義層１２０の材料として、透過性のよい材料を採用する。表示パネルの透明性は、他の技術的手段によって実現されてもよく、上記の表示パネルの構造にも適用できる。透明又は半透明半反射型の表示パネルは、動作状態にある時には画面を正常に表示でき、作動しない際に非表示状態になる。表示パネルは、作動しない場合に透明又は半透明の状態になる。この時、当該表示パネルを透過して当該表示パネルの下に配置された受光部品などが見える。
【００４１】
本発明の一実施例では、ディスプレイをさらに提供する。当該ディスプレイは、静止画像又は動画像を表示する第１表示領域を含む。当該第１表示領域には、前述した任意の実施例に係る表示パネルが設けられている。第１表示領域の下には、受光部品９３０が設けられてもよい。第１表示領域には、前述した実施例における表示パネルを採用したので、光が当該表示領域を通り抜ける際に、顕著な回折現象が発生しないため、第１表示領域の下に位置する受光部品が正常に作動することを確保できる。受光部品が作動していない場合、第１表示領域は、ディスプレイ全体の表示内容に応じて変化し、例えば撮影されている外部画像を表示し、或いは、非表示状態にあってもよい。これによって、表示パネルを介して受光部品が光を正常に集めることがさらに確保される。
【００４２】
図１６は一実施例におけるディスプレイの模式図である。当該ディスプレイは、第１表示領域９１０と、第１表示領域９１０に隣接する第２表示領域９２０とを含む。第１表示領域９１０の光透過率は、第２表示領域９２０の光透過率より大きい。第１表示領域９１０の下には、受光部品９３０が設けられてもよい。第１表示領域９１０には、前述した任意の実施例に係る表示パネルが設けられている。第１表示領域９１０及び第２表示領域９２０の両方は、いずれも静止画像又は動画像を表示するために用いられる。第１表示領域９１０には、前述した実施例における表示パネルを採用したので、当該表示領域を通り抜ける際に光は顕著な回折現象が発生させず、第１表示領域９１０の下に位置する受光部品９３０は正常に作動することを確保できる。なお、第１表示領域９１０は、受光部品９３０が作動しない場合には静止画像又は動画像を正常に表示する一方、受光部品９３０が作動している場合には非表示状態にあってもよいため、受光部品９３０は表示パネルを介して光を正常に集めることが確保される。他の実施例において、第１表示領域９１０の光透過率は第２表示領域９２０の光透過率と同じであってもよく、よって表示パネル全体が良好な画一的な透光率を有し、表示パネルが良好な表示効果を有することを確保する。
【００４３】
一実施例において、第１表示領域９１０に設けられた第一の表示パネルはＰＭＯＬＥＤ表示パネル又はＡＭＯＬＥＤ表示パネルであり、第２表示領域９２０に設けられた第二の表示パネルはＡＭＯＬＥＤ表示パネルである。このように、ＰＭＯＬＥＤ表示パネル及びＡＭＯＬＥＤ表示パネルにより構成された全面スクリーンが形成される。
【００４４】
本発明の他の実施例では、さらに表示端末を提供する。図１７は、一実施例における表示端末の模式図であり、当該表示端末は、機器本体８１０とディスプレイ８２０とを含む。ディスプレイ８２０は、機器本体８１０に設けられており、当該機器本体８１０と互いに接続されている。ここで、ディスプレイ８２０は、前述した任意の実施例のディスプレイであってもよく、静止画像又は動画像を表示するために用いられる。
【００４５】
図１８は、一実施例における機器本体８１０の模式図である。本実施例において、機器本体８１０には、ノッチ領域８１２及び非ノッチ領域８１４が設けられてもよい。ノッチ領域８１２には、カメラ９３０、光センサなどの受光部品が設けられてもよい。この場合、カメラ９３０や光センサなどの上記の受光部品は第１表示領域を透過して外部光線を集める操作などができるように、ディスプレイ８２０の第１表示領域における表示パネルがノッチ領域８１４に貼り付けられる。第１表示領域の表示パネルは、外部光線が当該第１表示領域を透過することにより発生した回折現象を効果的に改善できるため、表示機器に備えられたカメラ９３０で撮影された画像の品質を効果的に向上させ、回折による撮影画像の歪みを回避しつつ、光センサの外部光線に対するセンシングの精度と感度を向上させることもできる。
【００４６】
上記の電子機器は、携帯電話、タブレット、パームトップパソコン、ｉＰｏｄ（登録商標）などのデジタル機器であってもよい。
【００４７】
上述した実施例の各技術的特徴は任意に組み合わせることができる。記述の簡潔化のために、上述した実施例における各技術的特徴のあらゆる組合せについて説明していないが、これらの技術的特徴の組合せは矛盾しない限り、本明細書に記述されている範囲内であると考えられるべきである。
【００４８】
上述した実施例は、本願のいくつかの実施形態を示したものにすぎず、その記述が具体的且つ詳細であるが、本願の範囲を限定するものと解釈されるべきではない。なお、当業者にとって、本発明の趣旨から逸脱しないかぎり、若干の変形及び改良を行うことができ、これらもすべて本発明の保護範囲内に含まれる。したがって、本発明の保護範囲は、特許請求の範囲に準ずるべきである。
【図１】
2021507289.tif 000003
【図２】
2021507289.tif 000004
【図３】
2021507289.tif 000005
【図４】
2021507289.tif 000006
【図５】
2021507289.tif 000007
【図６】
2021507289.tif 000008
【図７】
2021507289.tif 000009
【図８】
2021507289.tif 000010
【図９】
2021507289.tif 000011
【図１０】
2021507289.tif 000012
【図１１】
2021507289.tif 000013
【図１２】
2021507289.tif 000014
【図１３】
2021507289.tif 000015
【図１４】
2021507289.tif 000016
【図１５】
2021507289.tif 000017
【図１６】
2021507289.tif 000018
【図１７】
2021507289.tif 000019
【図１８】
2021507289.tif 000020
【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
表示パネルであって、
基板と、
前記基板に形成された画素定義層と、を含み、
前記画素定義層には、第１タイプ画素開口を含む画素開口が形成されており、前記第１タイプ画素開口を前記基板に投射した投影像の各辺が曲線になっており、互いに平行でない、ことを特徴とする表示パネル。
【請求項２】
前記第１タイプ画素開口を前記基板に投射した投影像は、１つの図形単位であるか互いに連通された少なくとも２つの図形単位であり、前記図形単位は、軸対称な図形である、ことを特徴とする請求項１に記載の表示パネル。
【請求項３】
前記第１タイプ画素開口に対応する副画素のアスペクト比が１．５未満である場合、前記第１タイプ画素開口を前記基板に投射した投影像は円形であり、
前記第１タイプ画素開口に対応する副画素のアスペクト比が１．５以上且つ２．５以下である場合、前記第１タイプ画素開口を前記基板に投射した投影像は互いに連通された２つの円形であり、
前記第１タイプ画素開口に対応する副画素のアスペクト比が２．５より大きい場合、前記第１タイプ画素開口を前記基板に投射した投影像は、互いに連通された少なくとも３つの円形である、
ことを特徴とする請求項２に記載の表示パネル。
【請求項４】
前記第１タイプ画素開口を前記基板に投射した投影像は、第１接続部をさらに含み、互いに連通された２つの図形単位の間は前記第１接続部によって連通され、前記第１接続部の両辺の少なくとも一方が直線又は曲線になっている、ことを特徴とする請求項１〜３のいずれか一項に記載の表示パネル。
【請求項５】
前記画素開口は、副画素の形状を定義し、前記副画素には前記副画素のエッジに沿って配列されている複数の突出が形成され、
前記画素開口は、第２タイプ画素開口をさらに含み、前記第２タイプ画素開口を前記基板に投射した投影像は矩形であり、前記第１タイプ画素開口と前記第２タイプ画素開口とが前記基板に交互に分布している、ことを特徴とする請求項１に記載の表示パネル。
【請求項６】
前記表示パネルは、ＰＭＯＬＥＤ表示パネルであり、前記基板に形成された複数の第１電極をさらに含み、
前記複数の第１電極は、同じ方向に沿って並行に延在し、隣接する前記第１電極の間に隙間があり、前記第１電極の延在方向において、前記第１電極の幅は連続的又は断続的に変化するともに、前記隙間は連続的又は断続的に変化し、前記第１電極を前記基板に投射した投影像の辺は、前記画素開口を前記基板に投射した投影像の辺と互いに平行ではない、ことを特徴とする請求項１に記載の表示パネル。
【請求項７】
前記第１電極は前記延在方向の両辺が共に波状であり、前記両辺のピークが対向し、トラフも対向し、前記トラフが対向する箇所において、ストリップ状の第２接続部が形成されている、ことを特徴とする請求項６に記載の表示パネル。
【請求項８】
前記表示パネルは、ＡＭＯＬＥＤ表示パネルであり、前記基板に形成された第１電極層をさらに含み、
前記第１電極層は、互いに独立した複数の第１電極を含み、
各第１電極は１つの発光構造層に対応し、前記第１電極層を前記基板に投射した投影像の辺は、前記画素開口を前記基板に投射した投影像の辺と互いに平行ではない、ことを特徴とする請求項１に記載の表示パネル。
【請求項９】
ディスプレイであって、
静止画像又は動画像を表示する第１表示領域と、
前記第１表示領域に設けられた請求項１〜８のいずれか一項に記載の表示パネルと、を含む、ことを特徴とするディスプレイ。
【請求項１０】
表示端末であって、
部品領域を有する機器本体と、
前記機器本体に設けられた請求項９に記載のディスプレイと、を含み、
前記部品領域は、前記第１表示領域の下に位置され、前記部品領域には、受光部品が設けられている、ことを特徴とする表示端末。
【国際調査報告】
2021507289.tif 000021
2021507289.tif 000022
2021507289.tif 000023
2021507289.tif 000024
2021507289.tif 000025
2021507289.tif 000026